(57)【要約】【課題】接続ケーブルを短くあるいは無くすようにすると共にこの接続ケーブルの支持体を無くすようにすることを目的とする。【解決手段】陰極線管４と主配線基板１０とを有し、この主配線基板１０に得られる水平及び垂直偏向電流をこの陰極線管４に設けた偏向ブロック６の水平及び垂直偏向コイルに供給すると共にこの主配線基板１０に得られるディガウス信号をこの陰極線管４に設けたディガウスコイル７に供給するようにしたテレビジョン受像機において、この主配線基板１０をこの偏向ブロック６とこの陰極線管４とで挟持する如く配したものである。【選択図】        図１
2005020177.tif 000002
【特許請求の範囲】
【請求項１】
陰極線管と主配線基板とを有し、前記主配線基板に得られる水平及び垂直偏向電流を前記陰極線管に設けた偏向ブロックの水平及び垂直偏向コイルに供給すると共に前記主配線基板に得られるディガウス信号を前記陰極線管に設けたディガウスコイルに供給するようにしたテレビジョン受像機において、
前記主配線基板を前記偏向ブロックと前記陰極線管とで挟持する如く配したことを特徴とするテレビジョン受像機。
【請求項２】
請求項１記載のテレビジョン受像機において、
前記偏向ブロックに設けた端子ピンを前記主配線基板に設けた電極に直接接続するようにしたことを特徴とするテレビジョン受像機。
【発明の詳細な説明】
【０００１】
【発明の属する技術分野】
本発明は陰極線管と主配線基板とを有し、この主配線基板に得られる水平及び垂直偏向電流をこの陰極線管に設けた偏向ブロックの水平及び垂直偏向コイルに供給すると共にこの主配線基板に得られるディガウス信号をこの陰極線管に設けたディガウスコイルに供給するようにしたテレビジョン受像機に関する。
【０００２】
【従来の技術】
従来、陰極線管と主配線基板とを有し、この主配線基板に得られる水平及び垂直偏向電流をこの陰極線管に設けた偏向ブロックの水平及び垂直偏向コイルに供給すると共にこの主配線基板に得られるディガウス信号をこの陰極線管に設けたディガウスコイルに供給するようにしたテレビジョン受像機は例えば図３に示す如く構成されていた。
【０００３】
図３において、１は筐体２内の底部に設けられた主ブラケット３上に固定された主配線基板を示し、この主配線基板１にはテレビジョン放送受信回路等の大部分の回路が設けられると共に水平及び垂直偏向電流を得る水平及び垂直偏向回路１ａ、陰極線管４を消磁するディガウス信号を発生するディガウス信号発生回路１ｂ等が設けられている。
【０００４】
また、この主配線基板１にはビデオテープレコーダ等外部機器と接続する外部接続端子５ａが設けられた外部接続端子基板５が設けられている。
【０００５】
従来、この主配線基板１は、図３に示す如くこの筐体２内の所定位置に固定された陰極線管４の下部に配置する如くしていた。
【０００６】
図３において、６はこの陰極線管４のネック部及びフランジ部を被う如く配された偏向ブロックを示し、この偏向ブロック６には水平偏向コイル及び垂直偏向コイルが設けられ、主配線基板１の水平及び垂直偏向回路１ａよりの水平及び垂直偏向電流をこの水平及び垂直偏向コイルに供給する如くする。
【０００７】
また、７は陰極線管４の前面側の外周を巻回する如く設けたディガウスコイルを示し、このディガウスコイル７に主配線基板１のディガウス信号発生回路１ｂよりのディガウス信号を供給する如くする。
【０００８】
また図３において、８は陰極線管４のネック部の端子部に設けられた所定の回路が設けられた副配線基板を示し、９は陰極線管４の前面側の外周を締め付ける如く設けた鉄板より成る補強バンドである。
【０００９】
この陰極線管４はこの補強バンド９に設けた耳部によりビス等で前面パネルの裏側に取付固定される。
【００１０】
また特許文献１には陰極線管の下部に設けた主配線基板よりの消磁電流を陰極線管に設けた消磁コイルに供給するようにしたものが記載されている。
【００１１】
【特許文献１】
特開平７−１６２８８２号公報
【００１２】
【発明が解決しようとする課題】
ところで従来は主配線基板１の水平及び垂直偏向回路１ａよりの水平及び垂直偏向電流を接続ケーブル６ａを介して偏向ブロック６の水平及び垂直偏向コイルに供給すると共に主配線基板１のディガウス信号発生回路１ｂよりのディガウス信号を接続ケーブル７ａを介してディガウスコイル７に供給する如くしていた。
【００１３】
この場合、この接続ケーブル６ａ、７ａが比較的長くなる不都合があると共にこの接続ケーブル６ａ、７ａは比較的高圧を扱うため、この接続ケーブル６ａ、７ａの種々の影響等の対応も含め、この接続ケーブル６ａ、７ａを定位置に固定支持するため、支持体を多数必要とする不都合があった。
【００１４】
本発明は斯る点に鑑み、この接続ケーブルを短くあるいは無くすようにすると共にこの接続ケーブルの支持体を無くすようにすることを目的とする。
【００１５】
【課題を解決するための手段】
本発明テレビジョン受像機は、陰極線管と主配線基板とを有し、この主配線基板に得られる水平及び垂直偏向電流をこの陰極線管に設けた偏向ブロックの水平及び垂直偏向コイルに供給すると共にこの主配線基板に得られるディガウス信号をこの陰極線管に設けたディガウスコイルに供給するようにしたテレビジョン受像機において、この主配線基板をこの偏向ブロックとこの陰極線管とで挟持する如く配したものである。
【００１６】
斯る本発明によれば主配線基板を偏向ブロックとこの陰極線管とで挟持する如く配したので、偏向ブロックの端子ピンを主配線基板の所定の電極に直接接続することができ接続ケーブルを無くすことができると共に主配線基板のディガウス信号発生回路よりのディガウス信号を短い接続ケーブルでディガウスコイルに供給することができ、この接続ケーブルの支持体を無くすようにできる。
【００１７】
【発明の実施の形態】
以下、図１、図２を参照して本発明テレビジョン受像機の実施の形態の例につき説明する。図１、図２において、図３に対応する部分には同一符号を付して示す。
【００１８】
図１例においては、筐体２内の所定位置に陰極線管４を固定する如くする。この陰極線管４の固定はこの陰極線管４の前面側の外周を締め付ける如く設けた鉄板より成る補強バンド９の耳部によりビス等で前面パネル（図示せず）の裏側に取付け固定する如くして行う。
【００１９】
この陰極線管４のネック部及びフランジ部を被う如く偏向ブロック６を配する如くする。
【００２０】
この偏向ブロック６は周知の如く構成されたもので図２に示す如く偏向ヨークに水平及び垂直偏向コイルが巻装され、合成樹脂よりなるカバーが設けられたもので、本例においては図２に示す如く、この偏向ブロック６の陰極線管４の前面側に水平及び垂直偏向コイルに水平及び垂直偏向電流を供給する所定数の端子ピン６ｂ、６ｂ・・・を合成樹脂カバーに植立する如く設ける。
【００２１】
本例においては、テレビジョン放送受信回路等の大部分の回路が設けられると共に水平及び垂直偏向電流を得る水平及び垂直偏向回路、陰極線管４を消磁するディガウス信号を発生するディガウス信号発生回路１ｂ等が設けられた主配線基板１０を図１に示す如く、この偏向ブロック６と陰極線管４のフランジ部とで挟持する如く配する。
【００２２】
この主配線基板１０は図２に示す如くその中央部に陰極線管４のネック部等を貫通する所定径の孔１０ａを設ける如くすると共にこの主配線基板１０の所定位置に偏向ブロック６の端子ピン６ｂ、６ｂ・・・を貫通する孔及び電極を設け、この偏向ブロック６の端子ピン６ｂ、６ｂ・・・を主配線基板１０に設けた孔に挿入すると共に所定の電極に半田付けし直接接続する如くする。
【００２３】
また主配線基板１０のディガウス信号発生回路１ｂよりのディガウス信号を接続ケーブル７ｂを介して陰極線管４の前面側の外周に巻装したディガウスコイル７に供給する如くする。
【００２４】
この場合、主配線基板１０は偏向ブロック６と陰極線管４のフランジ部とで挟持する如く配されているので、この接続ケーブル７ｂは極めて短いものとすることができ、支持体を無くすことができる。
【００２５】
本例においては、この主配線基板１０を補強バンド９に固定した保持フレーム１１にビス等により固定し、保持する如くする。
【００２６】
また、１２はビデオテープレコーダ等外部機器を接続する外部接続端子５ａが設けられた外部接続端子基板で、この外部接続端子基板１２には入出力系の回路等が設けられる。
【００２７】
この場合、外部接続端子基板１２は従来に比し主配線基板１０の制約をうけないのでレイアウトに自由度がある。
【００２８】
また本例においても、陰極線管４のネック部の端子部に所定の回路が設けられた副配線基板８を設ける。
【００２９】
本例によれば、主配線基板１０を偏向ブロック６と陰極線管４のファンネル部とで挟持する如く配したので、偏向ブロック６の端子ピン６ｂ、６ｂ・・・を主配線基板１０の所定の電極に直接接続することができ、接続ケーブルを無くすことができると共に主配線基板１０のディガウス信号発生回路１ｂよりのディガウス信号を短い接続ケーブル７ｂでディガウスコイル７に供給することができ、この接続ケーブル７ｂの支持体を無くすようにできる。
【００３０】
また本例によれば、陰極線管４の後部の空間に主配線基板１０を配する如くしたので、このテレビジョン受像機の筐体２内の空間に余裕ができ、セットサイズのコンパクト化やデザインの自由度を向上することができる利益がある。
【００３１】
尚、上述例において主配線基板１０を、製造上等必要に応じ分割するようにしても良いことは勿論である。
【００３２】
また本発明は上述例に限ることなく本発明の要旨を逸脱することなく、その他種々の構成が採り得ることは勿論である。
【００３３】
【発明の効果】
本発明によれば、主配線基板を偏向ブロックと陰極線管とで挟持する如く配したので、偏向ブロックの端子ピンを主配線基板の所定の電極に直接接続することができ、接続ケーブルを無くすことができると共に主配線基板のディガウス信号発生回路よりのディガウス信号を短い接続ケーブルでディガウスコイルに供給することができ、この接続ケーブルの支持体を無くすようにできる。
【００３４】
また本発明によれば、陰極線管の後部の空間に主配線基板を配する如くしたので、このテレビジョン受像機の筐体内の空間に余裕ができ、セットサイズのコンパクト化やデザインの自由度を向上することができる利益がある。
【図面の簡単な説明】
【図１】本発明テレビジョン受像機の実施の形態の例を示す構成図である。
【図２】本発明の要部の例を示す斜視図である。
【図３】従来のテレビジョン受像機の例を示す構成図である。
【符号の説明】
２・・・筐体、４・・・陰極線管、６・・・偏向ブロック、６ｂ・・・端子ピン、７・・・ディガウスコイル、８・・・副配線基板、９・・・補強バンド、１０・・・主配線基板、１１・・・保持フレーム、１２・・・外部接続端子基板
【図１】
2005020177.tif 000003
【図２】
2005020177.tif 000004
【図３】
2005020177.tif 000005